(57)【要約】      （修正有）【課題】天候不順でも快適なな作業状況を作り出すことができる電気通信機器収納用屋外ハウジングを提供する。【解決手段】前面が開放されたハウジング本体Ｒ１の開放部分を閉鎖する扉部材６を、上部扉部６ａと下部扉部６ｂとから構成し、また、ハウジング本体と上部扉部とをヒンジ連結するとともに、上部扉部と下部扉部とをヒンジ連結し、更に、ハウジング本体を構成する固定側部パネル２には、該固定側部パネルに重なるように折り畳むことが可能な折り畳みパネル部材３をヒンジ連結する。【選択図】図４
2006319169.tif 000002
【特許請求の範囲】
【請求項１】
前面が開放されたハウジング本体の開放部分を閉鎖する扉部材が、上部扉部と下部扉部とから構成されており、また、前記ハウジング本体の上部水平部と前記上部扉部の上部水平部とがヒンジ連結されているとともに、前記上部扉部の下部水平部と前記下部扉部の上部水平部とがヒンジ連結されており、更に、前記ハウジング本体を構成する固定側部パネルには、該固定側部パネルに重なるように折り畳むことが可能な折り畳みパネル部材がヒンジ連結されていることを特徴とする電気通信機器収納用屋外ハウジング。
【請求項２】
前記固定側部パネルに重なるように折り畳まれた状態の折り畳みパネル部材を、前記ハウジング本体に施錠するためのロック部材が、前記折り畳みパネル部材に配設されていることを特徴とする請求項１に記載の電気通信機器収納用屋外ハウジング。
【請求項３】
前記ハウジング本体が前記扉部材で閉鎖された際に、前記下部扉部を、前記ハウジング本体に施錠するためのロック部材が、前記下部扉部に配設されていることを特徴とする請求項１又は請求項２に記載の電気通信機器収納用屋外ハウジング。
【発明の詳細な説明】
【技術分野】
【０００１】
本発明は、種々の電気通信機器や配電盤等を収納するための電気通信機器収納用屋外ハウジングに関するものである。
【背景技術】
【０００２】
従来、雨天や降雪等の天候不順時に、電気通信機器収納用屋外ハウジングに収納された電気通信機器等に対して種々の作業を行う際には、電気通信機器収納用屋外ハウジング内に配設されている支柱を引き出すとともに、支柱に、同じく電気通信機器収納用屋外ハウジング内に配設されているシートを設置し、シートにより、雨や雪等から、作業者を保護するように構成された電気通信機器収納用屋外ハウジングが、一例として、特許文献１に記載されている。
【０００３】
【特許文献１】特開２００４−３９６９２号公報
【発明の開示】
【発明が解決しようとする課題】
【０００４】
上述した従来の電気通信機器収納用屋外ハウジングにおいては、支柱の引き出し作業及びシートの張設作業に、時間と労力を要するという問題があった。
【０００５】
また、支柱やシートを、電気通信機器収納用屋外ハウジングに収容するために、雨等に濡れた支柱やシートを拭いたり乾燥させる必要があり、従って、支柱やシートの格納作業にも、時間と労力を要するという問題があった。
【０００６】
本発明の目的は、上述した従来の電気通信機器収納用屋外ハウジングが有する課題を解決することにある。
【課題を解決するための手段】
【０００７】
本発明は、上述した目的を達成するために、第１には、前面が開放されたハウジング本体の開放部分を閉鎖する扉部材を、上部扉部と下部扉部とから構成し、また、前記ハウジング本体の上部水平部と前記上部扉部の上部水平部とをヒンジ連結するとともに、前記上部扉部の下部水平部と前記下部扉部の上部水平部とをヒンジ連結し、更に、前記ハウジング本体を構成する固定側部パネルには、該固定側部パネルに重なるように折り畳むことが可能な折り畳みパネル部材をヒンジ連結したものであり、第２には、前記固定側部パネルに重なるように折り畳まれた状態の折り畳みパネル部材を、前記ハウジング本体に施錠するためのロック部材を、前記折り畳みパネル部材に配設したものであり、第３には、前記ハウジング本体が前記扉部材で閉鎖された際に、前記下部扉部を、前記ハウジング本体に施錠するためのロック部材を、前記下部扉部に配設したものである。
【発明の効果】
【０００８】
本発明は、上述した構成を有しているので、以下に記載する効果を奏することができる。
【０００９】
前面が開放されたハウジング本体の開放部分を閉鎖する扉部材を、上部扉部と下部扉部とから構成し、また、前記ハウジング本体の上部水平部と前記上部扉部の上部水平部とをヒンジ連結するとともに、前記上部扉部の下部水平部と前記下部扉部の上部水平部とをヒンジ連結し、更に、前記ハウジング本体を構成する固定側部パネルには、該固定側部パネルに重なるように折り畳むことが可能な折り畳みパネル部材をヒンジ連結したので、電気通信機器収納用屋外ハウジングに収納された電気通信機器等への作業時に、ハウジング本体の側部が、折り畳みパネル部材により囲撓され、また、ハウジング本体の上方部が、扉部材を構成する上部扉部により囲撓され、更に、ハウジング本体の前面開口部と相対する部分の上半分が、扉部材を構成する下部扉部により囲撓されることになるので、雨や雪等の天候不順や炎天下の際にも、快適な状態で作業を行うことができるとともに、また、直射日光や風雨等を防ぐことができるので、電気通信機器収納用屋外ハウジングに収納された電気通信機器等に対する作業の作業効率が向上する。
【００１０】
垂直状態の下部扉部を、略垂直状態を保持したまま、上方に持ち上げることにより、上部扉部を略水平状態とし、次いで、固定側部パネルから、折り畳みパネル部材を引き出すだけの作業により、ハウジング本体の側部、上方部及び前面開口部と相対する部分の上半分を囲撓することができるので、迅速に、且つ、容易に、天候不順に対応可能な作業状況を作り出すことができる。
【００１１】
扉部材を、上部扉部と下部扉部とにより構成するとともに、固定側部パネルに、折り畳みパネル部材を配設しただけの構成であるので、ハウジング本体内に、従来の電気通信機器収納用屋外ハウジングのように、支柱やシート等の収納スペースを設ける必要がなく、従って、電気通信機器や配電盤等のためのスペースが減少するようなことを防止することができる。
【００１２】
固定側部パネルに重なるように折り畳まれた状態の折り畳みパネル部材を、ハウジング本体に施錠するためのロック部材を、折り畳みパネル部材に配設したので、固定側部パネルに重なるように折り畳まされた折り畳みパネル部材が、固定側部パネルから離反するようなことを防止することができる。
【００１３】
ハウジング本体が前記扉部材で閉鎖された際に、下部扉部を、ハウジング本体に施錠するためのロック部材を、下部扉部に配設したので、ハウジング本体の前面開口部を被蓋する上部扉部と下部扉部とからなる扉部材が、ハウジング本体から離反するようなことを防止することができる。
【実施例】
【００１４】
以下に、本発明の実施例について説明するが、本発明の趣旨を越えない限り何ら、本実施例に限定されるものではない。
【００１５】
本発明の電気通信機器収納用屋外ハウジング（以下、単に、屋外ハウジングという。）Ｒは、後部パネル１と、相対する固定側部パネル２と、固定側部パネル２に配設された折り畳み側部パネル部材３と、天部パネル４と、底部パネル５と、扉部材６と、相対する固定側部パネル２と天部パネル４と底部パネル５とにより形成された前面開口部に取着された額縁状の前枠パネル７とから構成されている。
【００１６】
底部パネル５に、溶接や鑞付けやボルト・ナット等の適当な固着手段により、後部パネル１と相対する固定側部パネル２を取り付けるとともに、後部パネル１と相対する固定側部パネル２に、同じく、溶接や鑞付けやボルト・ナット等の適当な固着手段により、天部パネル４を取り付ける。更に、相対する固定側部パネル２と天部パネル４と底部パネル５とにより形成された前面開口部に、溶接や鑞付けやボルト・ナット等の適当な固着手段により、額縁状の前枠パネル７が取り付けられる。後部パネル１、相対する固定側部パネル２、天部パネル４、底部パネル５及び前枠パネル７の組み立ては、上述した従来の電気通信機器収納用屋外ハウジングを構成する後部パネル、相対する側部パネル、天部パネル及び底部パネル等の組み立てと同じであるので、その詳細な説明は省略する。
【００１７】
図１〜図３に示されているように、折り畳みパネル部材３は、固定側部パネル２と略同一形状の２枚のパネル３ａ、３ｂから構成されており、一方のパネル３ａの一方の垂直端部３ａ１は、固定側部パネル２の前枠パネル７側の垂直端部２ａに、平蝶番等のヒンジ部材Ｈ１により、ヒンジ連結されているとともに、更に、一方のパネル３ａのもう一方の垂直端部３ａ２ともう一方のパネル３ｂの一方の垂直端部３ｂ１とも、平蝶番等のヒンジ部材Ｈ１によりヒンジ連結されている。以下、折り畳みパネル部材３のうち、固定側部パネル２にヒンジ連結されている一方のパネル３ａを、中間折り畳みパネル３ａと称し、該中間折り畳みパネル３ａにヒンジ連結されているもう一方のパネル３ｂを、端部折り畳みパネル３ｂと称する。
【００１８】
上述したように、固定側部パネル２に、ヒンジ部材Ｈ１を介して、中間折り畳みパネル３ａをヒンジ連結し、また、中間折り畳みパネル３ａに、ヒンジ部材Ｈ１を介して、端部折り畳みパネル３ｂをヒンジ連結することにより、中間折り畳みパネル３ａと端部折り畳みパネル３ｂとを、図４や図５に示されているように、固定側部パネル２と略面一となるように展開することができるように構成されている。
【００１９】
また、上述したように、固定側部パネル２と中間折り畳みパネル３ａと端部折り畳みパネル３ｂとが、略面一な展開状態から、固定側部パネル２の外面（屋外ハウジングＲの外側に位置する面）２’と中間折り畳みパネル３ａの外面（中間折り畳みパネル３ａを、固定側部パネル２と略面一に展開した際に、固定側部パネル２の外面２’と同じ側に位置する面）３ａ’とが重なるように、ヒンジ部材Ｈ１を中心に、中間折り畳みパネル３ａを、固定側部パネル２方向に回動させ、更に、固定側部パネル２に重ねられた、中間折り畳みパネル３ａの内面（中間折り畳みパネル３ａの外面３ａ’に対して反対側に位置する面）３ａ”と端部折り畳みパネル３ｂの内面（端部折り畳みパネル３ｂを、中間折り畳みパネル３ａと略面一に展開した際に、中間折り畳みパネル３ａの内面３ａ”と同じ側に位置する面）３ｂ”とが重なるように、ヒンジ部材Ｈ１を中心に、端部折り畳みパネル３ｂを、中間折り畳みパネル３ａ方向に回動させることにより、図１に示されているように、固定側部パネル２と中間折り畳みパネル３ａと端部折り畳みパネル３ｂが重なるように折り畳むことができるように構成されている。このように、固定側部パネル２と中間折り畳みパネル３ａと端部折り畳みパネル３ｂが重なるように折り畳まれた際には、固定側部パネル２の外面２’と中間折り畳みパネル３ａの外面３ａ’とが対面し、また、中間折り畳みパネル３ａの内面３ａ”と端部折り畳みパネル３ｂの内面３ｂ”とが対面するとともに、端部折り畳みパネル３ｂの外面３ｂ’が、一番外側に位置することになる。
【００２０】
固定側部パネル２の外面２’の上端には、外面２’に対して略垂直に突出した帯板状の上端水平突条２ｂが突設されており、また、固定側部パネル２の外面２’の下端には、外面２’に対して略垂直に突出した、上端水平突条２ｂと同様の下端水平突条２ｃが突設されている。上端水平突条２ｂの先端及び下端水平突条２ｃの先端と、固定側部パネル２の外面２’との距離Ｌ１は、中間折り畳みパネル３ａ或いは端部折り畳みパネル３ｂの厚さＴ１の略倍に形成されている。従って、固定側部パネル２と中間折り畳みパネル３ａと端部折り畳みパネル３ｂが重なるように折り畳まれた際には、一番外側に位置する端部折り畳みパネル３ｂの外面（端部折り畳みパネル３ｂを、中間折り畳みパネル３ａ及び固定側部パネル２と略面一に展開した際に、中間折り畳みパネル３ａの外面３ａ’及び固定側部パネル２の外面２’と同じ側に位置する面）３ｂ’が、上端水平突条２ｂの先端及び下端水平突条２ｃの先端を越えて、外側に突出しないように構成されている。
【００２１】
上述した額縁状の前枠パネル７は、垂直枠部７ａと、垂直枠部７ａの先端から、垂直枠部７ａに略垂直に外側に延在する水平枠部７ｂとを有しており、水平枠部７ｂには、図６に示されているように、必要に応じて、帯状のゴムや軟質合成樹脂等からなるパッキン７ｂ１が貼着されている。
【００２２】
上述したように、底部パネル５に、後部パネル１と相対する固定側部パネル２を取り付けるとともに、後部パネル１と相対する固定側部パネル２に、天部パネル４を取り付け、更に、相対する固定側部パネル２と天部パネル４と底部パネル５とにより形成される前面開口部に、額縁状の前枠パネル７を取り付けることにより、前面が開放されたハウジング本体Ｒ１が組み立てられることになる。
【００２３】
ハウジング本体Ｒ１の開放部分を閉鎖する扉部材６は、略同じ大きさを有する上部扉部６ａと下部扉部６ｂとから構成されており、上部扉部６ａの上部水平端部６ａ１は、前枠パネル７に、後述するような適当なヒンジ部材Ｈ２により、ヒンジ連結されており、また、上部扉部６ａの下部水平端部６ａ２と下部扉部６ｂの上部水平端部６ｂ１とは、後述するような適当なヒンジ部材Ｈ３により、ヒンジ連結されている。
【００２４】
図７及び図８に示されているように、上部扉部６ａの内面（屋外ハウジングＲの内側に位置する面）６ａ’の相対する垂直辺には、略全長に亘たって、内面６ａ’に略垂直な垂直枠６ａ３が形成されているとともに、上部水平端部６ａ１付近には、相対する垂直枠６ａ３の上端部を連結する上部水平枠６ａ４が形成されている。同様に、下部扉部６ｂの内面（屋外ハウジングＲの内側に位置する面）６ｂ’の相対する垂直辺にも、略全長に亘たって、内面６ｂ’に略垂直な垂直枠６ｂ３が形成されているとともに、下部水平端部６ｂ２付近には、相対する垂直枠６ａ３の下端部を連結する下部水平枠６ｂ４が形成されている。
【００２５】
図７及び図８において、６ｃは、上部扉部６ａの内面６ａ’に、溶接や鑞付け等により取着された補強部材であり、補強部材６ｃは、額縁状の方形枠６ｃ１と、方形枠６ｃ１の隅部を対角状に連結する対角枠６ｃ２とから形成されている。また、６ｄは、下部扉部６ｂの内面６ｂ’に、溶接や鑞付け等により取着された補強部材であり、補強部材６ｄは、互いにその中央において交差する交差枠６ｄ１により形成されている。なお、下部扉部６ｂの内面６ｂ’に、上部扉部６ａの内面６ａ’に取着されている補強部材６ｃを取り付けることも、また、上部扉部６ａの内面６ａ’に、下部扉部６ｂの内面６ｂ’に取着されている補強部材６ｄを取り付けることもできる。
【００２６】
また、相対する固定側部パネル２の内面２’の前枠パネル７側の上部と上部扉部６ａの内面６ａ’の上部とは、公知のダンパ部材Ｄにより連結されている。
【００２７】
次に、図６を用いて、上部扉部６ａの上部水平端部６ａ１と前枠パネル７の上部垂直部７ｃとをヒンジ連結するヒンジ部材Ｈ２の一例について説明する。
【００２８】
ｈ１は、上部扉部６ａの内面６ａ’の上端部付近に、所定の間隔を置いて、略水平状に取着された上部扉部側円筒状雌ヒンジ部であり、ｈ２は、前枠パネル７の上部垂直部７ｃに、所定の間隔を置いて、略水平状に取着された取着されたハウジング本体側雌ヒンジであり、ハウジング本体側雌ヒンジｈ２は、板状部ｈ２ａと板状部ｈ２ａの上端部に形成されたハウジング本体側円筒状ヒンジ部ｈ２ｂとから構成されている。所定の上部扉部側円筒状雌ヒンジ部ｈ１とハウジング本体側円筒状ヒンジ部ｈ２ｂとを並設するとともに、上部扉部側円筒状雌ヒンジ部ｈ１とハウジング本体側円筒状ヒンジ部ｈ２ｂとに、雄ヒンジピンｈ３を嵌入することにより、上部扉部６と前枠パネル７とをヒンジ連結するヒンジ部材Ｈ２が構成されている。なお、上部扉部６と前枠パネル７とのヒンジ連結は、平蝶番等の公知の種々のヒンジ部材を使用して行うことができる。
【００２９】
次に、図９〜図１１を用いて、上部扉部６ａの下部水平端部６ａ２と下部扉部６ｂの上部水平端部６ｂ１とをヒンジ連結するヒンジ部材Ｈ３について説明する。
【００３０】
上部扉部６ａの下端面には、上部扉部６ａの内面６ａ’に対して、略４５度の下端傾斜面６ａ５が形成されているとともに、下部扉部６ｂの上端面には、上記の下端傾斜面６ａ５と対向するように、下部扉部６ｂの内面６ｂ’に対して、略４５度の上端傾斜面６ｂ５が形成されている。ｈ４は、上部扉部６ａの下端部と下部扉部６ｂの上端部を連結する、上部扉部６ａと下部扉部６ｂの略全幅の長さを有する平蝶番であり、平蝶番ｈ４は、上部扉部６ａの外面（屋外ハウジングＲの外側に位置する面）６ａ”と下部扉部６ｂの外面（屋外ハウジングＲの外側に位置する面）６ｂ”に、その帯状板部ｈ４ａが、それぞれ、適当なネジやビスＢ１により取り付けられている。
【００３１】
ｈ５は、下部扉部６ｂの全幅と略同じ幅を有する帯状板部ｈ５ａと、帯状板部ｈ５ａの上端に連接された半円筒状部ｈ５ｂと、相対する側壁部ｈ５ｃとからなる下部扉部側カバー部材である。下部扉部側カバー部材ｈ５の帯状板部ｈ５ａが、下部扉部６ｂの外面６ｂ”に当接するとともに、下部扉部側カバー部材ｈ５の側壁部ｈ５ｃが、下部扉部６ｂの相対する垂直枠６ｂ３に当接し、且つ、平蝶番ｈ４が、下部扉部側カバー部材ｈ５の半円筒状部ｈ５ｂ内に位置するように、下部扉部側カバー部材ｈ５を、下部扉部６ｂに配置した後、適当なネジやビスＢ１により、下部扉部側カバー部材ｈ５を、下部扉部６ｂに取り付ける。
【００３２】
ｈ６は、上述した下部扉部側カバー部材ｈ５と同様の上部扉部側カバー部材であり、上部扉部側カバー部材ｈ６も、上部扉部６ａの全幅と略同じ幅を有する帯状板部ｈ６ａと、帯状板部ｈ６ａの下端に連接された半円筒状部ｈ６ｂと、相対する側壁部ｈ６ｃとから形成されている。上部扉部側カバー部材ｈ６の半円筒状部ｈ６ｂの内面が、下部扉部側カバー部材ｈ５の半円筒状部ｈ５ｂの外面に当接或いは実質的に当接することができるように、上部扉部側カバー部材ｈ６の半円筒状部ｈ６ｂの内径（或いは、外径）は、下部扉部側カバー部材ｈ５の半円筒状部ｈ５ｂの内径（或いは、外径）より、若干、大きく形成されている。上部扉部側カバー部材ｈ６の帯状板部ｈ６ａが、上部扉部６ａの外面６ａ”に当接するとともに、上部扉部側カバー部材ｈ６の側壁部ｈ６ｃが、先に下部扉部６ｂに取り付けられた下部扉部側カバー部材ｈ５の側壁部ｈ５ｃに当接し、且つ、上部扉部側カバー部材ｈ６の半円筒状部ｈ６ｂが、下部扉部側カバー部材ｈ５の半円筒状部ｈ５ｂを覆うように、上部扉部側カバー部材ｈ６を、上部扉部６ａに配置した後、適当なネジやビスＢ１により、上部扉部側カバー部材ｈ６を、上部扉部６ａに取り付ける。
【００３３】
上述したように、上部扉部６ａと下部扉部６ｂとは、平蝶番ｈ４や下部扉部側カバー部材ｈ５や上部扉部側カバー部材ｈ６を有すヒンジ部材Ｈ３によりヒンジ連結されている。
【００３４】
上述したように、固定側部パネル２と中間折り畳みパネル３ａと端部折り畳みパネル３ｂとが、互いに重なるように折り畳まれ、且つ、ハウジング本体Ｒ１の開放部分が、扉部材６により閉鎖された状態が、図１に示されている。
【００３５】
次に、図５、図１２及び図１３を用いて、端部折り畳みパネル３ｂに配設された折り畳みパネル用ロック部材Ｎ１について説明する。
【００３６】
端部折り畳みパネル３ｂの上下方向の略中間で、且つ、中間折り畳みパネル３ａ側に穿設された透孔（図示されていない。）には、短軸ｎ１が挿着されており、端部折り畳みパネル３ｂの外面３ｂ’から突出している短軸ｎ１には、操作ハンドルｎ２が取着されているとともに、端部折り畳みパネル３ｂの内面３ｂ”側に位置する短軸ｎ１には、回動レバーｎ３の中心部が取着されている。回動レバーｎ３の一方の端部には、上方に略垂直に延在する上部垂直ロック杆ｎ４の下端部が枢着されており、また、回動レバーｎ３のもう一方の端部には、下方に略垂直に延在する下部垂直ロック杆ｎ５の上端部が枢着されている。更に、上部垂直ロック杆ｎ４の上端部は、端部折り畳みパネル３ｂの上端水平フランジ３ｂ２に穿設された透孔３ｂ２’に挿通されているとともに、下部垂直ロック杆ｎ５の下端部は、端部折り畳みパネル３ｂの下端水平フランジ３ｂ３に穿設された透孔３ｂ３’に挿通されている。
【００３７】
上述したように、折り畳みパネル用ロック部材Ｎ１は、端部折り畳みパネル３ｂの中間折り畳みパネル３ａ側に配設されており、同様の折り畳みパネル用ロック部材Ｎ１が、端部折り畳みパネル３ｂの垂直端部３ｂ４付近にも配設されている。
【００３８】
図１２に示されているように、回動レバーｎ３が、右下がり状態においては、折り畳みパネル用ロック部材Ｎ１の上部垂直ロック杆ｎ４の上端は、端部折り畳みパネル３ｂの上端水平フランジ３ｂ２から突出しないように構成されており、また、下部垂直ロック杆ｎ５の下端は、端部折り畳みパネル３ｂの下端水平フランジ３ｂ３から突出しないように構成されている。この状態において、中間折り畳みパネル３ａ及び端部折り畳みパネル３ｂを、固定側部パネル２に重なるように折り畳んだ際には、上部垂直ロック杆ｎ４の上端が、固定側部パネル２の外面２’の上端に突設された上端水平突条２ｂに当接しないように構成されているとともに、下部垂直ロック杆ｎ５の下端が、固定側部パネル２の外面２’の下端に突設された下端水平突条２ｃに当接しないように構成されている。
【００３９】
また、固定側部パネル２の外面２’の上端に突設された上端水平突条２ｂの下面には、上述した折り畳みパネル用ロック部材Ｎ１の上部垂直ロック杆ｎ４の上端部が挿入可能な嵌合凹部或いは嵌合透孔２ｂ１が形成されており、同様に、固定側部パネル２の外面２’の下端に突設された下端水平突条２ｃの上面には、上述した折り畳みパネル用ロック部材Ｎ１の下部垂直ロック杆ｎ５の下端部が挿入可能な嵌合凹部或いは嵌合透孔２ｃ１が形成されている。本実施例には、上述したように、端部折り畳みパネル３ｂに、折り畳みパネル用ロック部材Ｎ１が２組配設されているので、２本の上部垂直ロック杆ｎ４に対応して、上端水平突条２ｂの下面には、２個の嵌合凹部或いは嵌合透孔２ｂ１が形成されており、また、２本の下部垂直ロック杆ｎ５に対応して、下端水平突条２ｃの上面には、２個の嵌合凹部或いは嵌合透孔２ｃ１が形成されている例が示されている。
【００４０】
図１に示されているように、固定側部パネル２と中間折り畳みパネル３ａと端部折り畳みパネル３ｂとが重なるように折り畳まれた状態で、且つ、図１２に示されているように、回動レバーｎ３が右下がり状態にあり、従って、上部垂直ロック杆ｎ４の上端が、固定側部パネル２の外面２’の上端に突設された上端水平突条２ｂに当接しておらず、また、下部垂直ロック杆ｎ５の下端が、固定側部パネル２の外面２’の下端に突設された下端水平突条２ｃに当接していない状態においては、端部折り畳みパネル３ｂの外面３ｂ’が、上端水平突条２ｂの先端及び下端水平突条２ｃの先端を越えて突出しないように構成されている。
【００４１】
上述した状態から、端部折り畳みパネル３ｂの外面３ｂ’側に位置する操作ハンドルｎ２を、回動レバーｎ３が反時計方向に回動するように操作すると、回動レバーｎ３が、図１３に示されているように、右上がり状態となり、上部垂直ロック杆ｎ４が上動し、上部垂直ロック杆ｎ４の上端部が、上端水平突条２ｂの下面に形成された嵌合凹部或いは嵌合透孔２ｂ１に嵌合され、また、下部垂直ロック杆ｎ５が下動し、下部垂直ロック杆ｎ５の下端部が、下端水平突条２ｃの上面に形成された嵌合凹部或いは嵌合透孔２ｃ１に嵌合されることになる。
【００４２】
端部折り畳みパネル３ｂに２組配設された折り畳みパネル用ロック部材Ｎ１の操作ハンドルｎ２を、上述したように操作することにより、外側に位置する端部折り畳みパネル３ｂが、折り畳みパネル用ロック部材Ｎ１の上部垂直ロック杆ｎ４及び下部垂直ロック杆ｎ５を介して、固定側部パネル２の上端に取着された上端水平突条２ｂ及び固定側部パネル２の下端に取着された下端水平突条２ｃに施錠されることになる。従って、固定側部パネル２に重なるように折り畳まされた中間折り畳みパネル３ａ及び端部折り畳みパネル３ｂが、固定側部パネル２から離反するようなことを防止することができる。
【００４３】
次に、図１、図４及び図８を用いて、扉部材６を構成する下部扉部６ｂに配設された、上述した折り畳みパネル用ロック部材Ｎ１と同様の下部扉部用ロック部材Ｎ２について説明する。
【００４４】
下部扉部６ｂには、上下方向に、所定の間隔を置いて、２組の下部扉部用ロック部材Ｎ２が配設されており、端部折り畳みパネル３ｂに配設された折り畳みパネル用ロック部材Ｎ１との差異は、端部折り畳みパネル３ｂに配設された折り畳みパネル用ロック部材Ｎ１の上部垂直ロック杆ｎ４及び下部垂直ロック杆ｎ５が、上下動するのに対して、下部扉部６ｂに配設された下部扉部用ロック部材Ｎ２の後述するロック杆が、左右方向に移動する点でのみ相違し、他の構成は同じであるので、上記の相違点のみについて、以下に説明する。
【００４５】
下部扉部６ｂに配設された下部扉部用ロック部材Ｎ２の回動レバーｎ３の両端のうち、上方に位置する端部には、図８において、左方向に略水平に延在する上部水平ロック杆ｎ４’が枢着されており、また、回動レバーｎ３の両端のうち、下方に位置する端部には、図８において、右方向に略水平に延在する下部水平ロック杆ｎ５’が枢着されている。
【００４６】
また、下部扉部６ｂの内面６ｂ’には、上部水平ロック杆ｎ４’の先端部及び下部水平ロック杆ｎ５’の先端部が、それぞれ嵌合される透孔８ａを有する支持金具８が、所定の間隔を置いて取着されている。更に、額縁状の前枠パネル７の垂直枠部７ａには、下部扉部用ロック部材Ｎ２を構成する上部水平ロック杆ｎ４’及び下部水平ロック杆ｎ５’の先端部が嵌合される嵌合凹部或いは嵌合透孔７ａ１が形成されている。
【００４７】
図８に示されているように、回動レバーｎ３が、右上がり状態においては、下部扉部用ロック部材Ｎ２の上部水平ロック杆ｎ４’の先端部及び下部水平ロック杆ｎ５’の先端部は、いずれも、前枠パネル７の相対する垂直枠７ａに形成された嵌合凹部或いは嵌合透孔７ａ１に嵌合されておらず、従って、扉部材６を、後述するように、手前方向に回動させて、ハウジング本体Ｒ１の前方を開放することができるように構成されている。
【００４８】
図１に示されているように、ハウジング本体Ｒ１が、扉部材６により閉鎖された状態から、操作ハンドルｎ２を、図８に示されている右上がり状態の回動レバーｎ３が、反時計方向に回動するように操作すると、上部水平ロック杆ｎ４’及び下部水平ロック杆ｎ５’が、前枠パネル７の垂直枠７ａ方向に進出し、上部水平ロック杆ｎ４’の先端部及び下部水平ロック杆ｎ５’の先端部が、前枠パネル７の相対する垂直枠７ａにそれぞれ形成された嵌合凹部或いは嵌合透孔７ａ１に嵌合されることになる。
【００４９】
下部扉部６ｂに２組配設された下部扉部用ロック部材Ｎ２の操作ハンドルｎ２を、上述したように操作することにより、下部扉部６ｂが、下部扉部用ロック部材Ｎ２の上部水平ロック杆ｎ４’及び下部水平ロック杆ｎ５’を介して、ハウジング本体Ｒ１の前枠パネル７に施錠されることになる。従って、ハウジング本体Ｒ１の前面開口部を被蓋する上部扉部６ａと下部扉部６ｂとからなる扉部材６が、ハウジング本体Ｒ１から離反するようなことを防止することができる。
【００５０】
なお、９は、下部扉部６ｂの外面６ｂ”の適当な個所に取着された公知の持ち手である。
【００５１】
また、図１４において、１０は、中間折り畳みパネル３ａの内面３ａ”の下部に取着された水平係止板であり、水平係止板１０には、嵌合孔１０ａが穿設されている。１１は、底部パネル５の前枠パネル７側に位置する上面に取着された水平板であり、水平板１１の中間折り畳みパネル３ａ側の端部には、水平部１２ａと該水平部１２ａの先端に係止屈曲部１２ｂが形成された係止杆１２が枢着されている。固定側部パネル２と中間折り畳みパネル３ａと端部折り畳みパネル３ｂとが、略面一な展開状態において、係止杆１２の係止屈曲部１２ｂを、中間折り畳みパネル３ａの内面３ａ”に取着された水平係止板１０の嵌合孔１０ａに挿入することにより、中間折り畳みパネル３ａの回動を抑制することができるように構成されている。なお、係止杆１２の係止屈曲部１２ｂを、水平板１１のもう一方の端部に穿設された透孔１１ａに挿入することにより、ハウジング本体Ｒ１の前面開口部が、扉部材６で被蓋された状態において、係止杆１２が移動するようなことを防止することができる。
【００５２】
なお、図１や図２や図１５等において、Ｓは、公知の施錠部材であり、施錠部材Ｓは、固定側部パネル２側に位置する後部パネル１の外面（屋外ハウジングＲの外側に位置する面）１’に、上下方向に所定の間隔を置いて取着された、フックｓ１ａを有するフック部ｓ１と、後部パネル１側に位置する端部折り畳みパネル３ｂに、上下方向に所定の間隔を置いて取着された、リングｓ２ａを有するリング部ｓ２とを有している。固定側部パネル２に重なるように、中間折り畳みパネル３ａと端部折り畳みパネル３ｂとを折り畳んだ後、フック部ｓ１のフックｓ１ａに、リング部ｓ２のリングｓ２ａを引っ掛け、その後、リング部ｓ２の操作部ｓ２ｂを操作することにより、端部折り畳みパネル３ｂを、後部パネル１に施錠することができるように構成されている。なお、上述したように、端部折り畳みパネル３ｂは、折り畳みパネル用ロック部材Ｎ１を介して、固定側部パネル２の上端に取着された上端水平突条２ｂ及び固定側部パネル２の下端に取着された下端水平突条２ｃに施錠されるように構成されているので、施錠部材Ｓは、適宜、省略することができる。
【００５３】
次に、上部扉部６ａと下部扉部６ｂとからなる扉部材６で閉鎖された屋外ハウジングＲに収納された種々の電気機器や配電盤等に対して作業する際の屋外ハウジングＲの状態について説明する。
【００５４】
先ず最初に、下部扉部６ｂに配設されている下部扉部用ロック部材Ｎ２の操作ハンドルｎ２を操作して、回動レバーｎ３を回動させ、上部水平ロック杆ｎ４’の先端部及び下部水平ロック杆ｎ５’の先端部を、前枠パネル７から後退させることにより、上部水平ロック杆ｎ４’の先端部及び下部水平ロック杆ｎ５’の先端部を、前枠パネル７の相対する垂直枠７ａにそれぞれ形成された嵌合凹部或いは嵌合透孔７ａ１から排出させて、下部扉部６ｂと前枠パネル７との施錠を解除する。
【００５５】
次いで、下部扉部６ｂの外面６ｂ”に取着された適当な持ち手９を持って、垂直状態の下部扉部６ｂを、略垂直状態を保持したまま、上方に持ち上げると、前枠パネル７にヒンジ部材Ｈ２を介してヒンジ連結されている上部扉部６ａが、ヒンジ部材Ｈ２を中心に、略垂直状態から水平方向に回動され、最終的には、図３や図８等に示されているように、上部扉部６ａが、略水平状態となる。また、上述したように、上部扉部６ａと下部扉部６ｂとは、平蝶番ｈ４や下部扉部側カバー部材ｈ５や下部扉部側カバー部材ｈ６等から構成されるヒンジ部材Ｈ３を介してヒンジ連結されているので、上部扉部６ａが水平状態になる過程において、下部扉部６ｂが、略垂直状態を保持したまま、上方に持ち上げられることになる。そして、最終的には、図８等に示されているように、略水平な上部扉部６ａに対して、下部扉部６ｂが、略垂直状態となる。このように、上部扉部６ａが略水平状態で、下部扉部６ｂが、略垂直状態となった際には、図１１に示されているように、上部扉部６ａの内面６ａ’に対して、略４５度の上部扉部６ａの下端傾斜面６ａ５と、下部扉部６ｂの内面６ｂ’に対して、略４５度の下部扉部６ｂの上端傾斜面６ｂ５とが、略平行に接近して位置するように構成されている。このように、上部扉部６ａに下端傾斜面６ａ５を形成するとともに、下部扉部６ｂに上端傾斜面６ｂ５を形成することにより、略垂直状態の下部扉部６ｂに対して、上部扉部６ａを略水平状態に回動することができる。なお、上述したように、固定側部パネル２と上部扉部６ａとは、ダンパ部材Ｄにより連結されているので、下部扉部６ｂを持ち上げた際に、急激に、上部扉部６ａや下部扉部６ｂが上方に移動するようなことがなく、また、略水平状態の上部扉部６ａが、急激に、下方に移動するようなことがない。
【００５６】
次いで、端部折り畳みパネル３ｂに配設された折り畳みパネル用ロック部材Ｎ１の操作ハンドルｎ２を操作して、回動レバーｎ３を回動させ、上部垂直ロック杆ｎ４を下動させるとともに下部垂直ロック杆ｎ５を上動させて、上部垂直ロック杆ｎ４の先端部を、上端水平突条２ｂの下面に形成された嵌合凹部或いは嵌合透孔２ｂ１から排出させ、また、下部垂直ロック杆ｎ５の先端部を、下端水平突条２ｃの上面に形成された嵌合凹部或いは嵌合透孔２ｃ１から排出させて、端部折り畳みパネル３ｂと固定側部パネル２に突設された上端水平突条２ｂ及び下端水平突条２ｃとの施錠を解除する。
【００５７】
次いで、固定側部パネル２に重ねられている中間折り畳みパネル３ａと端部折り畳みパネル３ｂとが、図４及び図５に示されているように、固定側部パネル２に対して略面一になるように、固定側部パネル２から、中間折り畳みパネル３ａと端部折り畳みパネル３ｂとを、略垂直状態の下部扉部６ｂ方向に移動させる。そして、略面一に展開された固定側部パネル２と中間折り畳みパネル３ａと端部折り畳みパネル３ｂのうち、中間折り畳みパネル３ａと端部折り畳みパネル３ｂの上端には、扉部材６を構成する上部扉部６ａが載置されるように構成されているとともに、扉部材６を構成する下部扉部６ｂが、端部折り畳みパネル３ｂの先端側の垂直端部３ｂ４に、当接或いは接近するように構成されている。
【００５８】
上述したように、屋外ハウジングＲに収納された種々の電気機器や配電盤等に対して作業する際には、作業者が出入りするハウジング本体Ｒ１の前面開口部の側部が、固定側部パネル２と略面一に展開された中間折り畳みパネル３ａと端部折り畳みパネル３ｂにより囲撓され、また、作業者が出入りするハウジング本体Ｒ１の前面開口部の上方部が、扉部材６を構成する上部扉部６ａにより囲撓され、更には、作業者が出入りするハウジング本体Ｒ１の前面開口部と相対する部分の上半分が、扉部材６を構成する下部扉部６ｂにより囲撓されるように構成されているので、雨や雪等の天候不順や炎天下の際にも、快適な状態で作業を行うことができるとともに、また、直射日光や風雨等を防ぐことができるので、屋外ハウジングＲに収納された種々の電気機器や配電盤等に対する作業の作業効率が向上する。
【００５９】
また、垂直状態の下部扉部６ｂを、略垂直状態を保持したまま、上方に持ち上げることにより、上部扉部６ａを略水平状態とし、次いで、固定側部パネル２から、中間折り畳みパネル３ａと端部折り畳みパネル３ｂとを引き出すだけの作業により、上述したように、作業者が出入りするハウジング本体Ｒ１の側部を、中間折り畳みパネル３ａと端部折り畳みパネル３ｂとにより囲撓し、また、ハウジング本体Ｒ１の上方部を、上部扉部６ａにより囲撓し、更に、ハウジング本体Ｒ１の前面開口部と相対する部分の上半分を、下部扉部６ｂにより囲撓することができるので、迅速に、且つ、容易に、天候不順に対応可能な作業状況を作り出すことができる。
【００６０】
更に、扉部材６を、上部扉部６ａと下部扉部６ｂとにより構成するとともに、固定側部パネル２に、中間折り畳みパネル３ａと端部折り畳みパネル３ｂとからなる折り畳みパネル部材３を配設しただけの構成であるので、ハウジング本体Ｒ１内に、従来の電気通信機器収納用屋外ハウジングのように、支柱やシート等の収納スペースを設ける必要がなく、従って、電気通信機器や配電盤等のためのスペースが減少するようなことを防止することができる。
【００６１】
更にまた、上部扉部６ａと下部扉部６ｂとをヒンジ連結している平蝶番ｈ４が、上述したように、下部扉部６ｂに取着された下部扉部側カバー部材ｈ５の半円筒状部ｈ５ｂと、該半円筒状部ｈ５ｂを覆うように配置された、上部扉部６ａに取着された上部扉部側カバー部材ｈ６の半円筒状部ｈ６ｂとにより覆われているので、上部扉部６ａと下部扉部６ｂとのヒンジ連結部分に、雨水や洗浄液が浸入するようなことを防止することができる。従って、扉部材６で被蓋されたハウジング本体Ｒ１に、上部扉部６ａと下部扉部６ｂとのヒンジ連結部分から雨水や洗浄液が浸入するようなことがなく、また、屋外ハウジングＲに収納された種々の電気機器や配電盤等に対して作業する際に、略水平状態の上部扉部６ａと略垂直状態の下部扉部６ｂとのヒンジ連結部分から雨水や洗浄液が浸入するようなこともない。
【００６２】
なお、図１に示されているように、固定側部パネル２と中間折り畳みパネル３ａと端部折り畳みパネル３ｂとが、互いに重なるように折り畳まれ、且つ、ハウジング本体Ｒ１の開放部分が、扉部材６により閉鎖された状態においては、上部扉部６ａの内面６ａ’及び下部扉部６ｂの内面６ｂ’が、額縁状の前枠パネル７の水平枠部７ｂに貼着されたパッキン７ｂ１に当接するように構成されているので、屋外ハウジングＲを密閉状態に維持することができ、雨水や洗浄液や塵埃等の浸入を防止することができる。
【００６３】
また、上述した実施例には、折り畳み側部パネル部材３が、中間折り畳みパネル３ａと端部折り畳みパネル３ｂとの２枚の折り畳みパネルから構成されてる例が示されているが、折り畳み側部パネル部材３を、１枚の折り畳みパネルで構成することも、また、３枚以上の折り畳みパネルで構成することもできる。
【図面の簡単な説明】
【００６４】
【図１】図１は、本発明の電気通信機器収納用屋外ハウジングの斜視図である。
【図２】図２は、折り畳みパネル部材が展開途中の状態の本発明の電気通信機器収納用屋外ハウジングの斜視図である。
【図３】図３は、折り畳みパネル部材が展開途中で、且つ、扉部材が上方に位置した状態の本発明の電気通信機器収納用屋外ハウジングの斜視図である。
【図４】図４は、図３と同様の折り畳みパネル部材が展開途中で、且つ、扉部材が上方に位置した状態の本発明の電気通信機器収納用屋外ハウジングの斜視図である。
【図５】図５は、折り畳みパネル部材が展開され、且つ、扉部材が上方に位置した状態の本発明の電気通信機器収納用屋外ハウジングの斜視図である。
【図６】図６は、本発明の電気通信機器収納用屋外ハウジングの扉部材を構成する上部扉部のハウジング本体へのヒンジ連結を説明するための部分拡大分解斜視図である。
【図７】図７は、本発明の電気通信機器収納用屋外ハウジングを構成するハウジング本体と扉部材の部分拡大斜視図である。
【図８】図８は、本発明の電気通信機器収納用屋外ハウジングを構成する扉部材の部分拡大斜視図である。
【図９】図９は、本発明の電気通信機器収納用屋外ハウジングを構成する扉部材の上部扉部と下部扉部とを連結するヒンジ連結部材等の部分拡大分解斜視図である。
【図１０】図１０は、本発明の電気通信機器収納用屋外ハウジングを構成する扉部材の上部扉部と下部扉部とのヒンジ連結部分の部分垂直断面図である。
【図１１】図１１は、図１０と同様の本発明の電気通信機器収納用屋外ハウジングを構成する扉部材の上部扉部と下部扉部とのヒンジ連結部分の部分垂直断面図である。
【図１２】図１２は、本発明の電気通信機器収納用屋外ハウジングを構成する折り畳みパネル部材の部分拡大斜視図である。
【図１３】図１３は、図１２と同様の本発明の電気通信機器収納用屋外ハウジングを構成する折り畳みパネル部材の部分拡大斜視図である。
【図１４】図１４は、本発明の電気通信機器収納用屋外ハウジングを構成する折り畳みパネル部材や固定側部パネル等の部分拡大斜視図である。
【図１５】図１５は、本発明の電気通信機器収納用屋外ハウジングを構成する折り畳みパネル部材や後部パネル等の部分拡大斜視図である。
【符号の説明】
【００６５】
Ｈ１、Ｈ２、Ｈ３・・・・・ヒンジ部材
Ｎ１・・・・・・・・・・・折り畳みパネル用ロック部材
Ｎ２・・・・・・・・・・・下部扉部用ロック部材
Ｒ・・・・・・・・・・・・電気通信機器収納用屋外ハウジング
Ｒ１・・・・・・・・・・・ハウジング本体
１・・・・・・・・・・・・後部パネル
２・・・・・・・・・・・・固定側部パネル
３・・・・・・・・・・・・折り畳みパネル部材
３ａ・・・・・・・・・・・中間折り畳みパネル
３ｂ・・・・・・・・・・・端部折り畳みパネル
４・・・・・・・・・・・・天部パネル
５・・・・・・・・・・・・底部パネル
６・・・・・・・・・・・・扉部材
６ａ・・・・・・・・・・・上部扉部
６ｂ・・・・・・・・・・・下部扉部
７・・・・・・・・・・・・前枠パネル
【図１】
2006319169.tif 000003
【図２】
2006319169.tif 000004
【図３】
2006319169.tif 000005
【図４】
2006319169.tif 000006
【図５】
2006319169.tif 000007
【図６】
2006319169.tif 000008
【図７】
2006319169.tif 000009
【図８】
2006319169.tif 000010
【図９】
2006319169.tif 000011
【図１０】
2006319169.tif 000012
【図１１】
2006319169.tif 000013
【図１２】
2006319169.tif 000014
【図１３】
2006319169.tif 000015
【図１４】
2006319169.tif 000016
【図１５】
2006319169.tif 000017